(57)【要約】      （修正有）【課題】行抜け・印字切れ・かすれなどの印刷不良を目視で容易に発見できる、秘匿情報が印刷され、その上に情報秘匿部材が接着されている印刷物、特にはがきを提供する。【解決手段】印刷物が、一括して印刷された情報記載部と情報秘匿部材４とを備え、情報記載部は、その内容が秘匿すべき情報と印刷チェック用情報とに分かれており、情報秘匿部材４は秘匿すべき情報のみを覆って接着されており、印刷チェック用情報３は秘匿すべき情報の周囲の少なくとも一片に沿って、印刷される方向と平行に、秘匿すべき情報が記載されている全ての行又は列と同じ行又は列に印刷されていることからなる。【選択図】図１
0003161369.tif 000002
【実用新案登録請求の範囲】
【請求項１】
一括して印刷された情報記載部と情報秘匿部材とを備え、
情報記載部は、その内容が秘匿すべき情報と印刷チェック用情報とに分かれており、
情報秘匿部材は秘匿すべき情報のみを覆って貼着されており、
印刷チェック用情報は、秘匿すべき情報の周囲の少なくとも一片に沿って、印刷される方向と平行に、秘匿すべき情報が記載されている全ての行又は列と同じ行又は列に印刷されていることを特徴とする印刷物。
【請求項２】
印刷チェック用記載が、秘匿すべき情報の両側に沿って、印刷される方向と平行に、秘匿すべき情報が記載されている全ての行又は列と同じ行又は列に印刷されていることを特徴とする印刷物。
【請求項３】
印刷物が、はがきであることを特徴とする請求項１に記載の印刷物。
【考案の詳細な説明】
【技術分野】
【０００１】
本考案は、印刷不良の発見容易な印刷物に関する。具体的には、秘匿情報が印刷され、その上に情報秘匿部材が接着されている印刷物に関する。
【背景技術】
【０００２】
従来より、広告・ダイレクトメール・チラシ、特にはがきなどの印刷物においては、例えば個人の銀行口座情報など、秘匿情報が印刷されている場合がある。そして、当該秘匿情報を配送過程で第三者が見てしまうことを防ぐため、透けない黒いシールなど、情報秘匿部材が一過性の粘着剤などで接着（貼着）されている場合がある（例えば、特許文献１参照）。
【０００３】
しかしながら、印刷物を作成した側としては、前記の個人の銀行口座情報などの印刷及び秘匿部材の接着（貼着）は印刷機械などにより一連の工程で行われるため一度情報秘匿部材を貼り付けてしまうと、それを剥がさない限り、一行又は数行だけの行抜け・印字切れ・かすれなどの印刷不良があったか否か、目視ではチェックすることができない。
しかしながら、このような印刷不良は、例えば銀行口座情報などが記載されている場合には情報の重要度が高いので問題が大きく、配送されてしまう前に出来る限り発見する必要がある。
【先行技術文献】
【特許文献】
【０００４】
【特許文献１】実用新案登録第３１０８４２９号公報
【考案の概要】
【考案が解決しようとする課題】
【０００５】
そこで、本考案の目的は、行抜け・印字切れ・かすれなどの印刷不良を目視で容易に発見でき、秘匿情報が印刷され、その上に情報秘匿部材が接着されている印刷物、特にはがきを提供することを目的とする。
【課題を解決するための手段】
【０００６】
前記目的を達成するため、本発明の印刷物は、
一括して印刷された情報記載部と情報秘匿部材とを備え、
情報記載部は、その内容が秘匿すべき情報と印刷チェック用情報とに分かれており、
情報秘匿部材は秘匿すべき情報のみを覆って接着されており、
印刷チェック用情報は秘匿すべき情報の周囲の少なくとも一片に沿って、印刷される方向と平行に、秘匿すべき情報が記載されている全ての行又は列と同じ行又は列に印刷されていることからなる。
また、印刷チェック用記載が、秘匿すべき情報の両側に沿って、印刷される方向と平行に、秘匿すべき情報が記載されている全ての行又は列と同じ行又は列に印刷されていることが好適である。
また、印刷物が、はがきであることが好適である。
【０００７】
本考案の印刷物は、個人情報・パスワードや特別案内など秘匿すべき情報と、印刷チェック用情報が一括して同時に印刷されて情報記載部を構成している。そして、秘匿すべき情報が透けて見えないように構成された情報秘匿部材は、秘匿すべき情報部分のみを覆って、一過性の粘着剤や圧着など、公知の方法で接着されているが、この印刷及び情報秘匿部材の接着は印刷機械など現在使用されている機械により一連の工程で行われる。
このようにすると、一括して印刷された情報記載部のうち、秘匿すべき情報のみが隠れ、印刷チェック用情報がはみ出ているような構成となる。
秘匿すべき情報に情報秘匿部材が接着された場合には、秘匿すべき情報にかすれなどの印刷不良があるかどうかは情報秘匿部材を全てめくって（剥がして）点検しなければならないが、全て点検するということはやり直しに近いことであり、不可能である。又、全てではなくその中の一部を剥がして点検して印刷不良なしとなってもその他で印刷不良があるかも知れないので正確な点検は出来ないといって良いものである。
そこで、本考案は、秘匿すべき情報に記載の秘匿情報にかすれ、行抜け、印字切れ、かすれ等の印刷不良がある場合、印刷チェック用情報にも、印刷チェック用情報の印刷が抜けたり、かすれたりすることになるようになっている。
秘匿すべき情報の行又は列と印刷チェック用情報とが全て同じ行又は列に印刷されているので、秘匿すべき情報の行又は列が抜けていたり、かすれたりすれば印刷チェック用情報の行又は列も抜けていたり、かすれたりするものである。したがって、秘匿すべき情報に印刷不良があるかどうか秘匿情報部材をめくる（剥がす）ことなく目視で極めて容易に印刷不良を点検することが出来ることになる。
【０００８】
印刷チェック用情報は秘匿すべき情報の周囲の少なくとも一片に沿って、印刷される方向と平行に、かつ前記のように秘匿すべき情報が記載されている全ての行又は列に印刷されている構成となっているものである。ここで、印刷される方向とは、印刷時に紙が送られる方向のことであり、秘匿すべき情報と印刷チェック用情報がその行又は列において両方一括して印刷されることを示す意味である。
このようにすることで、どの行又は列に印刷不良があるかわかるからである。なお、秘匿すべき情報の両側に沿って、印刷される方向と平行に、秘匿すべき情報が記載されている全ての行又は列に印刷されていることにより、目視による印刷不良発見の可能性がより向上するものである。また、本発明は、広告・チラシ・ダイレクトメールなどに利用可能であり、特にはがきに使用することが最も需要・汎用性及び実用性が高いものである。
【０００９】
なお、印刷チェック用情報は、かすれや行抜けなどが発見できる限り、丸や四角、星形など、特にその記載内容を問うものではなく、黒塗りの連続でも良い。すなわち、印刷物のデザインに応じて設定することができ、デザイン性の維持・向上にも資するものである。また、デザイン上、印刷チェック用情報は秘匿すべき情報が記載されている行又は列以外に印刷されていても、少なくとも秘匿すべき情報が記載されている全ての行又は列に印刷されていれば、本発明の効果を達成することは可能である。
【考案の効果】
【００１０】
本考案の以上の構成により、かすれ・行抜け・印字切れなどの印刷不良を目視で容易に発見でき、秘匿情報が印刷され、その上に情報秘匿部材が接着されている印刷物、特にはがきを提供することが可能となったものである。
【図面の簡単な説明】
【００１１】
【図１】本考案の印刷物（はがき）の構成を示す図である。
【図２】本考案の印刷物（はがき）を示す図である。
【図３】印刷不良がある場合本考案の印刷物（はがき）を示す図である。
【考案を実施するための形態】
【００１２】
本考案の実施の形態の一例を図面にしたがって説明する。
【００１３】
図１は、本考案の印刷物（はがき）の構成を示す図である。はがき１には、秘匿すべき情報２と印刷チェック用情報３が情報記載部として一括して印刷されている。ここで、秘匿すべき情報２の記載がある行には全て印刷チェック用情報３が記載されており、また印刷チェック用情報３の情報記載部が印刷される方向が矢印５で示されている。そして、情報秘匿部材４は、秘匿すべき情報２のみを覆う形状をしており、秘匿すべき情報２の上に一過性の粘着剤により接着される（矢印６）。この印刷及び情報秘匿部材を接着するのは通常使用されている印刷機械などにより一連の工程で行われる。この結果、図２のようになり、印刷チェック用情報３がはみでている。
そして、図２のように印刷チェック用情報３が全て問題なく印刷されていれば、印刷時に行抜けや、かすれなどの印刷不良がないということがわかる。
【００１４】
一方、図３は、印刷不良がある場合である。上から２行目のように、印刷チェック用情報３が、両側に印刷されておらず、一行抜けてしまっていることが目視で容易にわかる。この場合、同じ行の秘匿すべき情報２の部分も、印刷が抜けてしまっている可能性が高く、情報秘匿部材４を接着した後でも印刷不良を発見することが容易になるものである。
同様に、上から４行目のように、印刷チェック用情報３がかすれている場合には、同じ行の秘匿すべき情報２の部分もかすれていることになり、かすれていることを容易に発見出来る。また、下から２行目のように、どちらかの側にしか印刷チェック用情報３が印刷されていない場合には、同じ行の秘匿すべき情報２の部分に何らかの問題があることになり、何らかの印刷不良があることが容易に推測出来る。
【符号の説明】
【００１５】
１        はがき
２        秘匿すべき情報
３        印刷チェック用情報
４        情報秘匿部材
５        矢印
６        矢印
【図１】
0003161369.tif 000003
【図２】
0003161369.tif 000004
【図３】
0003161369.tif 000005